(57)【特許請求の範囲】
【請求項１】
被検者の視野中の様々な位置に所定の輝度で順次視標を表示することに基づき該被検者の視野を測定するようにした視野計において、
被検者の視野中に視標を呈示する視標呈示部、該視標の表示位置を変更する表示位置変更部、及び該視標の輝度を設定する輝度設定部、からなる視標表示手段と、
表示された視標を視認した被検者により操作される操作手段と、
該操作手段が操作された場合に信号を出力する信号出力部と、
該信号出力部から信号が出力された場合に被検者の視野を判定する視野判定部と、
前記視標表示手段が視標を表示してから前記信号出力部が信号を出力するまでの応答時間を測定する応答時間測定部と、
前記輝度設定部により視標の輝度を変更すべきか否かの判断基準となる基準時間を出力する基準時間出力部と、
前記応答時間と前記基準時間とを比較する時間比較部と、
を備え、
前記輝度設定部は、前記応答時間が前記基準時間よりも短いと前記時間比較部が判断した場合に前記視標の輝度を第１所定量だけ暗くし、前記応答時間が前記基準時間よりも長いと前記時間比較部が判断した場合には前記視標の輝度を第２所定量だけ暗くする手段である、
ことを特徴とする視野計。
【請求項２】
前記第１所定量は前記第２所定量よりも大きい、
ことを特徴とする請求項１に記載の視野計。
【請求項３】
前記視標呈示部は、視標を投影するための投影光学系と、該投影光学系により視標が投影される投影部材と、により構成された、
ことを特徴とする請求項１又は２に記載の視野計。
【発明の詳細な説明】
【技術分野】
【０００１】
本発明は、被検者の視野を測定する視野計に関する。
【背景技術】
【０００２】
緑内障や糖尿病網膜症といった眼の病気に掛かった場合は視野が狭くなったり欠けたりするということは知られている。そこで、そのような病気を発見するための装置として、様々な構造の視野計が提案されている（例えば、特許文献１参照）。
【０００３】
図９は、従来の視野計の構造の一例を示す模式図である。図中の符号１００は、視標Ａを投影するための投影光学系を示し、符号１０１は、視標が投影される半球状の視野ドームを示す。また、符号１０３は、被検者により操作される応答スイッチを示す。
【０００４】
いま、被検者が視野ドーム１０１の内面の固視点を固視している状態で視野計を起動すると、投影光学系１００は視野ドーム１０１の様々な位置に視標Ａを順次表示して行く。被検者は、視標Ａを認識した場合に応答スイッチ１０３を操作し、視標Ａを認識できなかった場合には応答スイッチ１０３を操作しないが、視標Ａの表示位置に基づき、被検者の視野を測定することができる。
【特許文献１】特開２００２−２７２６８５号公報
【発明の開示】
【発明が解決しようとする課題】
【０００５】
ところで、被検者は視標Ａをはっきりと認識できた場合には応答スイッチ１０３を素早く操作し、ぼんやりとしか認識できていないような場合には躊躇いながらゆっくりと応答スイッチ１０３を操作するのが一般的である。しかしながら、従来装置では、そのような応答スイッチ１０３が操作されるまでの時間を加味せずに視野測定していたため、その分、測定精度に対して信頼性に欠けるという問題があった。
【０００６】
本発明は、視野を精度良く測定する視野計を提供することを目的とするものである。
【課題を解決するための手段】
【０００７】
請求項１に係る発明は、図１及び図２に例示するものであって、被検者の視野中の様々な位置に所定の輝度で順次視標（Ａ）を表示することに基づき該被検者の視野を測定するようにした視野計（１）において、
被検者の視野中に視標（Ａ）を呈示する視標呈示部（２０）、該視標（Ａ）の表示位置を変更する表示位置変更部（２１）、及び該視標（Ａ）の輝度を設定する輝度設定部（２２）、からなる視標表示手段（２）と、
表示された視標（Ａ）を視認した被検者により操作される操作手段（３）と、
該操作手段（３）が操作された場合に信号を出力する信号出力部（４）と、
該信号出力部（４）から信号が出力された場合に被検者の視野を判定する視野判定部（５）と、
前記視標表示手段（２）が視標を表示してから前記信号出力部（４）が信号を出力するまでの応答時間を測定する応答時間測定部（６）と、
前記輝度設定部（２２）により視標（Ａ）の輝度を変更すべきか否かの判断基準となる基準時間を出力する基準時間出力部（７）と、
前記応答時間と前記基準時間とを比較する時間比較部（８）と、
を備え、
前記輝度設定部（２２）は、前記応答時間が前記基準時間よりも短いと前記時間比較部（８）が判断した場合に前記視標（Ａ）の輝度を第１所定量だけ暗くし、前記応答時間が前記基準時間よりも長いと前記時間比較部（８）が判断した場合には前記視標（Ａ）の輝度を第２所定量だけ暗くする手段であることを特徴とする。
【０００８】
請求項２に係る発明は、請求項１に係る発明において、前記第１所定量が前記第２所定量よりも大きい、ことを特徴とする。
【０００９】
請求項３に係る発明は、請求項１又は２に係る発明において、前記視標呈示部（２０）が、視標を投影するための投影光学系（２０Ａ）と、該投影光学系（２０Ａ）により視標が投影される投影部材（２０Ｂ）と、により構成された、ことを特徴とする。
【００１０】
なお、括弧内の番号などは、図面における対応する要素を示す便宜的なものであり、従って、本記述は図面上の記載に限定拘束されるものではない。
【発明の効果】
【００１１】
請求項１及び３に係る発明によれば、単に視標が認識されたかどうかだけを判断して視野判定を行うのではなく、視標認識までに掛かった時間（つまり、前記応答時間）までも加味して視野判定を行うので、その分、測定結果に対する信頼性を高めることができる。
【００１２】
請求項２に係る発明によれば、前記応答時間が前記基準時間よりも長かった場合は、前記応答時間が前記基準時間よりも短かった場合に比べて視標輝度を暗くする程度を抑えるので、測定精度を高めることができる。
【発明を実施するための最良の形態】
【００１３】
以下、図１乃至図３に沿って、本発明を実施するための最良の形態について説明する。
【００１４】
なお、図１は、本発明に係る視野計の構成の一例を示す模式図であり、図２は、本発明に係る視野計に使用される制御装置の構成の一例を示すブロック図であり、図３は、視野測定方法の一例を示すフローチャート図である。
【００１５】
本発明に係る視野計は、例えば、図１に符号１で示すように構成されたものであって、被検者の視野中に視標Ａを呈示する視標呈示部２０、該視標Ａの表示位置を変更する表示位置変更部２１、及び該視標Ａの輝度を設定する輝度設定部２２、からなる視標表示手段２を備えていて、被検者の視野中の様々な位置に所定の輝度で順次視標Ａを表示できるように構成されている。
【００１６】
ところで、図１に示す視標呈示部２０は、視標を投影するための投影光学系２０Ａと、該投影光学系２０Ａにより視標が投影される投影部材２０Ｂとにより構成されているが、被検者の視野中に視標を呈示するものであればどのような構造でも良い。例えば、複数のＬＥＤを配置しておいて、それを選択的に点灯させるようにしたものでも良い。また、図１に示す投影部材２０Ｂは半球ドーム状の形状をしているが、もちろんこれに限られるものではなく、半球面以外の曲面を有する形状としても、或いは、平面を有する形状としても良い。
【００１７】
また、図１に示すように、投影光学系２０Ａと投影部材２０Ｂとにより視標呈示部２０を構成する場合には、表示位置変更部２１は、前記投影光学系２０Ａの構成要素（例えば、符号２１１，２１２に示すプロジェクター・ミラー）の位置を変更する駆動手段（不図示）等により構成すると良い。これに対し、上述のように、複数のＬＥＤにより視標呈示部を構成した場合には、いずれのＬＥＤを点灯させるかを表示位置変更部により制御するようにすると良い。なお、投影光学系及びＬＥＤのいずれを用いた場合においても、表示位置の変更のための指示は、
・  検査する者が検査中にディスプレイを見ながらタッチペンやマウスやキーボード等を用いて手動で行うようにしても、
・  予め作成されていたプログラムで自動的に行うようにしても、
どちらでも良い。
【００１８】
さらに、輝度設定部２２としては様々な構造のものが考えられるが、図１では、
・  回転自在に支持されると共に、減衰度の異なる複数のフィルターを有するターレット２２１，２２２と、
・  該ターレット２２１，２２２の位置を変更するための駆動機構２２３と、
・  該駆動機構２２３を制御する輝度制御部（図２の符号２２４参照）
とにより輝度設定部２２が構成されている。
【００１９】
また、本発明に係る視野計１は、図２に示すように、表示された視標Ａを視認した被検者により操作される操作手段３と、該操作手段３が操作された場合に信号を出力する信号出力部４と、該信号出力部４から信号が出力された場合に前記視標表示手段２により視標を表示した位置に基づき被検者の視野を判定する視野判定部５と、を備えており、被検者の視野が測定されるようになっている。
【００２０】
さらに、本発明に係る視野計１は、前記視標表示手段２が視標を表示してから前記信号出力部４が信号を出力するまでの応答時間を測定する応答時間測定部６と、前記輝度設定部２２により視標Ａの輝度を変更すべきか否かの判断基準となる基準時間を出力する基準時間出力部７と、前記応答時間と前記基準時間とを比較する時間比較部８と、を備えている。そして、前記輝度設定部２２は、
・  前記応答時間が前記基準時間よりも短いと前記時間比較部８が判断した場合に前記視標の輝度を第１所定量だけ暗くし、
・  前記応答時間が前記基準時間よりも長いと前記時間比較部８が判断した場合には前記視標の輝度を第２所定量だけ暗くする、
ように構成された手段である。この場合、前記第１所定量は前記第２所定量より大きくすると良い。本発明によれば、単に視標が認識されたかどうかだけを判断して視野判定を行うのではなく、視標認識までに掛かった時間（つまり、前記応答時間）までも加味して視野判定を行うので、その分、測定結果に対する信頼性を高めることができる。
【００２１】
本発明に係る視野計には、図２に示すように、主制御部１５を配置し、該主制御部１５には、バス線１６を介して、上述した信号出力部４や視野判定部５や応答時間測定部６や基準時間出力部７や時間比較部８や輝度制御部２２４を接続し、さらには、モニター９やプリンタ１０やデータ記憶部１１やキーボード１２や入出力インターフェース１３やＲＯＭ１４等を接続しておくと良い。
【００２２】
次に、本発明に係る視野測定方法について、図３及び図８を参照して説明する。
【００２３】
被検者がある特定の固視点を固視している状態で、本発明に係る視野計１を起動すると、前記視標呈示部２０は被検者の視野中の所定位置に所定の輝度で視標Ａを呈示する（図３のＳ５０参照）。このときの視標の表示位置は前記表示位置変更部２１にて設定され、視標の輝度は前記輝度設定部２２により設定されたものである。
【００２４】
一定時間が経過しても、被検者が前記操作手段３を操作せず、前記信号出力部４からの信号出力が無い場合には（図３のＳ５１参照）、視標の表示位置は前記表示位置変更部２１によって変更される（図８のＳ６→Ｓ７→Ｓ５参照）。
【００２５】
そして、視標が視認できた場合には、被検者は前記操作手段３を操作する。該操作手段３が操作されると（図３のＳ５１参照）、前記信号出力部４が信号を出力し、前記視野判定部５が、前記視標表示手段２が視標を表示した位置に基づいて被検者の視野を判定する。
【００２６】
上述のように操作手段３が操作されたとき、前記応答時間測定部６は、前記視標表示手段２が視標を表示してから前記信号出力部４が信号を出力するまでの時間（応答時間）を測定し、前記時間比較部８は、前記基準時間出力部７から出力される基準時間と前記応答時間とを比較する（図３のＳ５８参照）。そして、前記応答時間が前記基準時間よりも短いと前記時間比較部８が判断した場合に前記視標の輝度は第１所定量だけ暗くされ、前記応答時間が前記基準時間よりも長いと前記時間比較部８が判断した場合には前記視標の輝度は第２所定量だけ暗くされる。そして、再び、上述と同様の手順で視野の測定が繰り返される。
【実施例１】
【００２７】
本実施例では、図１に示す指標表示手段２と図２に示す制御装置とからなる視野計１を作製した。
【００２８】
このうち、視標表示手段２には、視標Ａを投影するための投影光学系２０Ａと、視標が投影される半球状の視野ドーム（投影部材）２０Ｂ、とからなる視標呈示部２０を設けて、被検者の視野中に視標Ａを表示できるようにした。
【００２９】
投影光学系２０Ａは、光源である視標投影ランプ（ハロゲンランプ）２０１と、該ランプ２０１の後側に配置された反射鏡２００と、該ランプ２０１の前側に配置されて光を集光する集光レンズ２０２と、視標Ａの形状や大きさを規定する視標板２０３（詳細は後述する）と、視標Ａの色を規定するための色フィルター・ターレット２０４（詳細は後述する）と、リレーレンズ２０５と、フォーカスレンズ２０６と、シャッター２０７（詳細は後述する）と、ミラー２０８と、リレーレンズ２０９と、ミラー２１０と、プロジェクター・ミラー２１１，２１２（詳細は後述する）と、プロジェクターレンズ２１３とによって構成した。なお、符号２１４は背景照明ランプを示す。
【００３０】
このうち、視標板２０３は、種々のサイズの孔部を有すると共に、回転及び光軸方向に移動できるように構成し、視野ドーム２０Ｂに投影される視標Ａの大きさを適宜変更できるようにした。
【００３１】
また、色フィルター・ターレット２０４は、杆体向けのフィルターＡ、錐体向けのフィルターＢを有していて、不図示のサーボ・モータにより回転されるように構成した。
【００３２】
ところで、色フィルター・ターレット２０４とリレーレンズ２０５との間の光路上には、回転自在なＮＤフィルター・ターレット２２１，２２２を２枚配置した。それぞれのＮＤフィルター・ターレット２２１，２２２は、減衰度の異なる複数のフィルターを有しているので、各ＮＤフィルター・ターレット２２１，２２２の回転位置を調整して、光を透過させるフィルターの組み合わせを変えることにより、１ｄＢ単位で視標輝度を調整できる。なお、本実施例においては、ＮＤフィルター・ターレット２２１，２２２にはサーボ・モータ２２３等の駆動機構を連結し、該駆動機構の駆動制御を輝度制御部（図２の符号２２４参照）で行うことにより輝度調整できるようにした。本実施例においては、これらのＮＤフィルター・ターレット２２１，２２２と、サーボ・モータ２２３等の駆動機構と、輝度制御部２２４等とによって、輝度設定部２２が構成されたこととなる。
【００３３】
また、上述したプロジェクター・ミラー２１１，２１２には不図示のサーボ・モータを連結し、該サーボ・モータは入出力インターフェース１３を介して主制御部１５に接続し（詳細は後述する）、サーボ・モータを駆動制御して各プロジェクター・ミラー２１１，２１２の角度を変更し、それにより、視標の表示位置を変更できるようにした。つまり、本実施例においては、これらのプロジェクター・ミラー２１１，２１２やサーボ・モータ等により表示位置変更部が構成されたこととなる。なお、本実施例においては８つの表示位置が予めプログラミングされており、表示位置変更部２１は表示位置を自動的に順次変更するようになっている（詳細は後述する）。
【００３４】
さらに、シャッター２０７は、不図示のソレノイドにより開閉できるようにし、開状態のときは視標Ａが表示され、閉状態のときは視標Ａは表示されないようにした。
【００３５】
なお、該視野ドーム２０Ｂに対峙する位置には、被検者の顎を載せるための顎台(不図示)を配置した。
【００３６】
ところで、この視野計１には、図２に示すように、応答スイッチ（操作手段）３を設けておき、視標Ａを視認した被検者が操作できるようにした。また、この応答スイッチ３には信号出力部４を接続しておいて、応答スイッチ３が操作された場合に所定の信号が出力されるように構成した。
【００３７】
そして、本実施例に係る視野計１には、上述したように主制御部１５を設け、該主制御部１５にはバス線１６を介して、上述の信号出力部４や輝度制御部２２４を接続し、さらに、
・  前記信号出力部４から信号が出力された場合に、視標が表示されている位置に基づき被検者の視野を判定する視野判定部５や、
・  視標Ａが表示されてから前記信号出力部４が信号を出力するまでの応答時間を測定する応答時間測定部６や、
・  輝度変更の基準となる基準時間を出力するための基準時間出力部７や、
・  前記応答時間と前記基準時間とを比較する時間比較部８や、
・  測定条件の入力や測定結果の表示等を行うためのタッチパネル式のモニター９や、
・  プリンタ１０や、
・  測定結果等を記憶するためのデータ記憶部（例えば、ＲＡＭやハードディスク）１１や、
・  キーボード１２や、
・  ＮＤフィルター・ターレット２２１，２２２やプロジェクター・ミラー２１１，２１２を駆動するサーボ・モータ２２３等や、シャッター２０７を駆動するソレノイド等、が連結される入出力インターフェース１３や、
・  測定プログラム等が格納されるＲＯＭ１４や、
などを接続した。そして、上述した輝度制御部２２４は、時間比較部８からの信号を受けて駆動されるようにし、具体的には、
・  前記応答時間が前記基準時間よりも短いと前記時間比較部８が判断した場合には前記輝度制御部２２４がＮＤフィルター・ターレット２２１，２２２の回転位置を変更して前記視標Ａの輝度を第１所定量だけ暗くし、
・  前記応答時間が前記基準時間よりも長いと前記時間比較部８が判断した場合には前記輝度制御部２２４がＮＤフィルター・ターレット２２１，２２２の回転位置を変更して前記視標の輝度を第２所定量だけ暗くする、
ように構成した。また、この主制御部１５には、視標投影ランプ２０１や背景照明ランプ２１４等も接続しておいて、それらのランプの点灯制御を行うようにした。
【００３８】
次に、本実施例にて行った視野測定方法について、図３乃至図８を参照して説明する。
【００３９】
視野計の電源をオンにすると（図８のＳ０参照）、モニター９には、図４に示すように、種々のボタン（符号４１〜４７参照）や入力フィールド等が表示される。これらのボタン４１，…や入力フィールドにて、被検者の情報（例えば、名前やＩＤや生年月日や矯正や視力等の情報）や、使用する測定プログラム（杆体／錐体測定プログラムの別）や、パラメータ（視標サイズや、位置や、色等のパラメータ）等を入力する（図８のＳ１参照）。全ての入力が終了した段階で画面右下のＯＫボタン４８を押すと、モニター９の画面は図５に示すものに切り替わる。
【００４０】
次画面の中央には正方形状のもの（図５の符号５１参照）が多数並んでいるが、１つ１つは、視野ドーム２０Ｂにおける視標Ａの表示位置を指定するためのボタンである。本実施例のデフォルト状態では、濃く表示された８個のボタンが選択されていて、これらの８点につき測定がなされる（詳細は後述する）。なお、符号５２に示す部分には、被検眼の別や固視灯（不図示）の位置が表示され、符号５３に示す部分には、選択されたプログラム名が表示される。
【００４１】
ところで、ボタン５６は測定メニューを選択するためのボタンであるが、本実施例においては、各ボタンの測定メニューは以下の通りである。
一番上のボタン；各測定点につき、杆体の閾値測定（５００ｎｍのフィルターのみを用いて閾値測定）を行うもの
二番目のボタン；各測定点で、錐体の閾値測定（６１０ｎｍのフィルターのみを用いて閾値測定）を行うもの
三番目のボタン；デフォルトの測定メニューで、杆体の閾値測定を全ての測定点につき行い、その後、錐体の閾値測定を全ての測定点につき行うもの
四番目のボタン；三番目のボタンとは順序が逆で、錐体の閾値測定を全ての測定点につき行い、その後、杆体の閾値測定を全ての測定点につき行うもの
五番目のボタン；各測定点において、５００／６１０ｎｍのフィルターを用いるがフィルターの適用順序を乱数発生などに基づきランダムに行うもの
【００４２】
さらに、図５に符号５７ａで示すボタンは、正常閾値差をデフォルトの８ｄＢから上下に１ｄＢづつ調節するためのものである。この正常閾値差は、前述のように図２に示したような５００ｎｍおよび６１０ｎｍの各色フィルターを用いて測定を行った場合に両フィルターで得られるはずの８ｄＢの閾値の差である。また、符号５７ｂで示すボタンは、上記の正常閾値差８ｄＢの上下両側で正常と判定する範囲（デフォルト４ｄＢ）を上下に１ｄＢづつ調節するためのものである。本実施形態のデフォルトでは、正常閾値差８ｄＢの上下両側の±４ｄＢ（４ｄＢ〜１２ｄＢ）を正常範囲としている。
【００４３】
以上のようにして、図５に示す画面では、測定メニューの選択、測定ポイントの選択、及び正常閾値差並びに範囲の設定を行った（図８のＳ２参照）。
【００４４】
全ての入力が終了した段階で画面右上の設定完了ボタン５４を押すと、モニター９の画面は図６に示す測定画面に切り替わる。この測定画面では、符号６１のように測定ポイントがドット表示で示され、画面の右側には、測定開始を指示するためのスタートボタン６２や、設定画面に戻ることを指示するためのボタン６３や、視標呈示間隔を変更するためのボタン６４が表示される。さらに、画面右下の符号６５で示す部分には、固視不良、偽陽性反応、偽陰性反応などの測定ポイント数が表示され、符号６６で示す部分には全測定ポイント数が表示され、符号６７で示す部分には閾値未測定ポイント数が表示される。
【００４５】
この状態で、被検者には、不図示の顎台に顎を載せてもらい（これにより、被検者の右眼は半球状視野ドーム２０Ｂの球心に位置することとなる）、固視点を固視してもらう。そして、モニター画面の右上のスタートボタン６２を押して測定をスタートさせる（図８のＳ４参照）。本実施例では、デフォルトの測定メニュー（つまり、上述した三番目のボタン）が選択されているので、まず、杆体測定プログラムが全ての測定点につき行われ（図８のＳ４〜Ｓ７参照）、その後、錐体測定プログラムが全ての測定点につき行われる（同図のＳ８〜Ｓ１１参照）。以下、具体的に説明する。
【００４６】
スタートボタン６２が押されると、最初に、主制御部１５が不図示のサーボ・モータを駆動制御して色フィルター・ターレット２０４が回転され、５００ｎｍのフィルターが設定される。また、輝度制御部２２４を介してサーボ・モータ２２３が駆動されて視標の輝度が初期値ａ０に設定され、ポイント数ｐは０に設定される（図８のＳ４参照）。なお、測定開始時の輝度ａ０は被検者の年齢に応じて決定される。
【００４７】
次に、上述した視標投影ランプ２０１や背景照明ランプ２１４が点灯され、視標板２０３や各プロジェクター・ミラー２１１，２１２の位置が制御され、シャッター２０７が開かれて、視野ドーム２０Ｂの所定位置に所定輝度ａ０で視標Ａが投影される（図３のＳ５０参照）。そのように投影光学系２０Ａが視標Ａを表示してから一定時間、応答スイッチ３が操作されなかった場合には（同図のＳ５１参照）、主制御部１５はシャッター２０７を閉じて視標表示を休止し、プロジェクター・ミラー２１１，２１２の角度を変更すると共に、輝度制御部２２４を介してサーボ・モータ２２３が駆動されて視標の輝度が初期値ａ０よりも２ｄＢだけ明るくされる（同図のＳ５２参照）。そして、シャッター２０７が開かれて視標呈示がなされる（同図のＳ５０参照）。なお、視標輝度が明るくされる度にパラメータａが測定可能最大輝度ｍａｘに達したか否かが判定され、最大輝度ｍａｘに達した場合にはパラメータａに測定可能最大輝度ｍａｘをセットし（図３のＳ５３，Ｓ５４参照）、その値ａを知覚閾値ｔとして決定する（図８のＳ７参照）。このようにして他の測定点についても同じ動作を繰り返す（図８のＳ７→Ｓ５→Ｓ６参照）。
【００４８】
いま、ある輝度の視標Ａが被検者によって視認されたとする。該視標Ａを視認した被検者が応答スイッチ３をオンにすると（同図のＳ５１参照）、信号出力部４は信号を出力し、視野判定部５が視野を判定する。具体的には、固視点を基準とする視標の位置の角度が計算され、その計算結果はデータ記憶部１１に保存される。
【００４９】
このように応答スイッチ３がオンにされた場合、上述した応答時間測定部６が、視標が表示されてから信号出力部４が信号を出力するまでの応答時間を測定し、時間比較部８が、基準時間出力部７から出力される基準時間（本実施例では０．５秒）と応答時間とを比較する（同図のＳ５８参照）。そして、応答時間が基準時間よりも短かった場合には視標を４ｄＢだけ暗くして再表示し（同図のＳ５９→Ｓ６０→Ｓ５０参照）、応答時間が基準時間に等しいか長かった場合には視標を２ｄＢだけ暗くして再表示する（同図のＳ５５→Ｓ５６→Ｓ５０参照）。このような動作を繰り返す過程において視標輝度ａの値が最低輝度ｍｉｎに達したか否かを判定しており、最低輝度ｍｉｎに達した場合にはパラメータａに測定可能最低輝度ｍｉｎをセットし（同図のＳ５７，Ｓ６１参照）、その値ａを知覚閾値ｔとして決定する（図８のＳ７参照）。このようにして他の測定点でも同じ動作を繰り返す（図８のＳ７→Ｓ５→Ｓ６参照）。
【００５０】
図７（ａ）は、上述のように杆体測定プログラムが実行されている間に表示されるモニター画面の一例を示す模式図である。画面中央部分に分散的に表示されている数字“６１”“６１”“６０”“６２”は、既に測定が終了したポイントの閾値（応答スイッチ３による応答があった時のフィルター減衰度）を示しており、符号７１は、測定している最中のポイントを示している。また、符号７４に示す“☆”印は、被検者が応答スイッチ３を操作したときに表示されるものであり、符号７２は、測定を中断するときに押すボタンを示す。
【００５１】
そして、図５の画面で指定されている８個全ての測定点につき測定が行われたと判断された場合には杆体測定プログラムは終了され、続いて、錐体測定プログラムが開始される（図８のＳ７〜Ｓ１１参照）。具体的には、色フィルター・ターレット２０４が回転されてフィルターが６１０ｎｍに変更され、視標輝度が初期値ａ０に設定され、ポイント数ｐは０に設定される（図８のＳ８参照）。そして、図８のステップＳ９では、図３に示す手順の視野測定が再度行われる。他の測定点についても同じ動作が行われてから測定が終了する（同図のＳ１０，Ｓ１１，Ｓ１２参照）。
【００５２】
図７（ｂ）は、錐体測定プログラムが実行されている間に表示されるモニター画面の一例を示す模式図である。画面中央部分に分散的に表示されている数字は、８つのそれぞれの測定点における閾値（応答スイッチ３による応答があった時のフィルター減衰度）を示している。２桁の数字しか示されていない点（つまり、中央よりやや左上の“６２”が示された箇所や、左下の“６５”が示された箇所や、中央の“６１”や“６３”が示された箇所）は、杆体の測定のみが終了し、錐体の測定は開始されていない点であり、これらの２桁の数字は、杆体の測定をして求まった閾値を示す。これに対し、４桁の数字が示されている点（つまり、中央部の“６１５５”や“６１５３”が示された点や、中央部よりやや右上の“６０５４”が示された点や、中央部よりやや右下の“６２５４”が示された点）は、最初の２桁が杆体の測定をして求まった閾値を示し、残りの２桁が錐体の測定をして求まった閾値を示す。
【００５３】
以上のように、杆体測定プログラム及び錐体測定プログラムの両方が終了すれば、モニター９の画面は、例えば図７（ｃ）に示すようなものに切り替わり、全ての測定点について測定結果が表示される。なお、図中の符号７６は、再検査を指示するためのボタンを示し、符号７７は、プリンタなどへ出力を行うためのボタンを示し、符号７８は、他眼の測定に移行するためのボタンを示し、符号７９は、測定を終了させるためのボタンを示す。
【図面の簡単な説明】
【００５４】
【図１】図１は、本発明に係る視野計の構成の一例を示す模式図である。
【図２】図２は、本発明に係る視野計に使用される制御装置の構成の一例を示すブロック図である。
【図３】図３は、視野測定方法の一例を示すフローチャート図である。
【図４】図４は、被検者の情報等を入力するためのモニター画面の一例を示す模式図である。
【図５】図５は、測定メニュー等を入力するためのモニター画面の一例を示す模式図である。
【図６】図６は、測定開始時に表示されるモニター画面の一例を示す模式図である。
【図７】図７(a) は、杆体測定プログラム実行中に表示されるモニター画面の一例を示す模式図であり、(b)は、錐体測定プログラム実行中に表示されるモニター画面の一例を示す模式図であり、(c) は、杆体測定プログラム及び錐体測定プログラム終了時に表示されるモニター画面の一例を示す模式図である。
【図８】図８は、杆体測定プログラム及び錐体測定プログラムが実行される様子を示すフローチャート図である。
【図９】図９は、従来の視野計の構造の一例を示す模式図である。
【符号の説明】
【００５５】
１            視野計
２            視標表示手段
３            応答スイッチ（操作手段）
４            信号出力部
５            視野判定部
６            応答時間測定部
７            基準時間出力部
８            時間比較部
２０          視標呈示部
２０Ａ        投影光学系
２０Ｂ        投影部材
２１          表示位置変更部
２２          輝度設定部
Ａ            視標
【図１】
0004734052.tif 000002
【図２】
0004734052.tif 000003
【図３】
0004734052.tif 000004
【図４】
0004734052.tif 000005
【図５】
0004734052.tif 000006
【図６】
0004734052.tif 000007
【図７】
0004734052.tif 000008
【図８】
0004734052.tif 000009
【図９】
0004734052.tif 000010